(57)【要約】【課題】プリンタから排出される写真印刷物が引掛かることを防止する。【解決手段】排出ボックス２０の排出路２８に傾斜板４０が設けられている。傾斜板４０は始端４１と、終端４２と、傾斜面４３とを有する。カッタ１２ｂにより帯状写真印刷物１Ａを切断する際、切断された印刷物１の先端は傾斜板４０の終端４２を過ぎ、空間４５に位置する自由端となっている。【選択図】図５
2019008119.tif 000002
【特許請求の範囲】
【請求項１】
帯状印刷物を作製し、この帯状印刷物を切断して印刷物を得るプリンタ装置において、
排出口と、この排出口内側近傍に設けられたカッタとを有するプリンタと、
前記プリンタの前記排出口に連通する排出路を有する排出ボックスとを備え、
前記排出ボックス内の排出路のうち、前記プリンタの排出口近傍に斜め下方へ傾斜する傾斜板が設けられ、
前記傾斜板は始端と、終端と、前記始端と前記終端との間に延びる傾斜面とを有し、前記終端の下流側に空間を形成する段部が設けられ、前記カッタにより前記帯状印刷物を切断する際、切断された印刷物の先端は前記傾斜板の終端を過ぎかつ前記空間内に位置して自由状態となっている、プリンタ装置。
【請求項２】
帯状印刷物を作製し、この帯状印刷物を切断して印刷物を得るプリンタ装置において、
排出口と、この排出口内側近傍に設けられたカッタとを有するプリンタと、
前記プリンタの前記排出口に連通する排出路を有する排出ボックスとを備え、
前記排出ボックス内の排出路のうち、前記プリンタの排出口近傍に斜め下方へ傾斜する傾斜板が設けられ、
前記傾斜板は第１始端と、第１終端と、前記第１始端と前記第１終端との間に延びる第１傾斜面とを含む第１傾斜板と、この第１傾斜板の下流側に設けられ、第２始端と、第２終端と、前記第２始端と前記第２終端との間に延びる第２傾斜面とを含む第２傾斜板とを有し、前記第１終端の下流側に第１空間を形成する第１段部が設けられ、前記第２終端の下流側に第２空間を形成する第２段部が設けられ、
前記カッタにより前記帯状印刷物を切断する際、切断された印刷物の先端は前記第１傾斜板の第１終端を過ぎかつ前記第１空間内に位置して自由状態となっているか、または前記第２傾斜面の第２終端を過ぎかつ前記第２空間内に位置して自由状態となっている、プリンタ装置。
【請求項３】
前記傾斜面は直線状断面または湾曲状断面を有する請求項１記載のプリンタ装置。
【請求項４】
前記第１傾斜面および前記第２傾斜面のいずれか一方は、直線状断面または湾曲状断面を有する請求項２記載のプリンタ装置。
【請求項５】
前記排出ボックス内の排出路に、斜め下方へ傾斜する案内板が設けられ、前記傾斜板はこの案内板上に設置される、請求項１乃至４のいずれか記載のプリンタ装置。
【発明の詳細な説明】
【技術分野】
【０００１】
本発明は写真を印字して写真印刷物を作製する複数のプリンタを有するプリンタ装置に係り、とりわけ写真印刷物をスムーズに排出することができるプリンタ装置に関する。
【背景技術】
【０００２】
従来より写真を印字して写真印刷物を作製するプリンタ装置として、複数のプリンタを有するものが知られている。このようなプリンタ装置において、各プリンタから排出される写真印刷物は同一のスタッカまで導かれ、このスタッカにおいて集積される。
【０００３】
しかしながら、複数のプリンタを有するプリンタ装置において、各プリンタから排出される写真印刷物が、排出路の途中で引掛かったりすることがある。特に、写真印刷物のカット直後に、プリンタ排出口および排出路中で写真印刷物が引っ掛かることがある。
【先行技術文献】
【特許文献】
【０００４】
【特許文献１】特開２００５−１１１８９３号公報
【特許文献２】特開２００６−１６９４号公報
【発明の概要】
【発明が解決しようとする課題】
【０００５】
本発明はこのような点を考慮してなされたものであり、プリンタを有するプリンタ装置において、プリンタから排出される写真印刷物が排出路中で引掛かることを未然に防止することができるプリンタ装置を提供することを目的とする。
【課題を解決するための手段】
【０００６】
本発明は、帯状印刷物を作製し、この帯状印刷物を切断して印刷物を得るプリンタ装置において、排出口と、この排出口内側近傍に設けられたカッタとを有するプリンタと、前記プリンタの前記排出口に連通する排出路を有する排出ボックスとを備え、前記排出ボックス内の排出路のうち、前記プリンタの排出口近傍に斜め下方へ傾斜する傾斜板が設けられ、前記傾斜板は始端と、終端と、前記始端と前記終端との間に延びる傾斜面とを有し、前記終端の下流側に空間を形成する段部が設けられ、前記カッタにより前記帯状印刷物を切断する際、切断された印刷物の先端は前記傾斜板の終端を過ぎかつ前記空間内に位置して自由状態となっている、プリンタ装置である。
【０００７】
本発明は、帯状印刷物を作製し、この帯状印刷物を切断して印刷物を得るプリンタ装置において、排出口と、この排出口内側近傍に設けられたカッタとを有するプリンタと、前記プリンタの前記排出口に連通する排出路を有する排出ボックスとを備え、前記排出ボックス内の排出路のうち、前記プリンタの排出口近傍に斜め下方へ傾斜する傾斜板が設けられ、前記傾斜板は第１始端と、第１終端と、前記第１始端と前記第１終端との間に延びる第１傾斜面とを含む第１傾斜板と、この第１傾斜板の下流側に設けられ、第２始端と、第２終端と、前記第２始端と前記第２終端との間に延びる第２傾斜面とを含む第２傾斜板とを有し、前記第１終端の下流側に第１空間を形成する第１段部が設けられ、前記第２終端の下流側に第２空間を形成する第２段部が設けられ、前記カッタにより前記帯状印刷物を切断する際、切断された印刷物の先端は前記第１傾斜板の第１終端を過ぎかつ前記第１空間内に位置して自由状態となっているか、または前記第２傾斜面の第２終端を過ぎかつ前記第２空間内に位置して自由状態となっている、プリンタ装置である。
【０００８】
本発明は、前記傾斜面は直線状断面または湾曲状断面を有するプリンタ装置である。
【０００９】
本発明は、前記第１傾斜面および前記第２傾斜面のいずれか一方は、直線状断面または湾曲状断面を有するプリンタ装置である。
【００１０】
本発明は、前記排出ボックス内の排出路に、斜め下方へ傾斜する案内板が設けられ、前記傾斜板はこの案内板上に設置される、プリンタ装置である。
【発明の効果】
【００１１】
以上のように本発明によれば、カッタにより帯状印刷物を切断する際、切断された印刷物の先端は傾斜板の終端を過ぎて空間内に位置して自由状態となる。このとき印刷物はカール状に戻ろうとして、終端を中心としてプリンタ装置の排出口から離れる方向へ回動して排出路内を落下する。
【図面の簡単な説明】
【００１２】
【図１】図１は本発明によるプリンタ装置の第１の実施例において開閉扉が開いた状態を示す図。
【図２】図２は本発明によるプリンタ装置の第１の実施例において図１の開閉扉が開いた状態からさらに排出ボックスを回動させた状態の開閉扉と排出ボックスを示す図。
【図３】図３は本発明によるプリンタ装置の第１の実施例において開閉扉が閉じた状態を示す図。
【図４】図４はプリンタ装置の上方プリンタおよび下方プリンタから排出される写真印刷物の排出路を示す側面図。
【図５】図５はプリンタ装置の上方プリンタから排出される写真印刷物の排出路を示す側面図。
【図６】図６はプリンタ装置の比較例を示す側面図。
【図７】図７は本発明によるプリンタ装置の第２の実施の形態を示す側面図。
【図８】図８は本発明によるプリンタ装置の第３の実施の形態を示す側面図。
【図９】図９は本発明によるプリンタ装置の変形例を示す側面図。
【図１０】図１０は本発明によるプリンタ装置の第４の実施の形態を示す側面図。
【発明を実施するための形態】
【００１３】
＜第１の実施の形態＞
以下、図面を参照して本発明の実施の形態について説明する。
【００１４】
図１乃至図５は本発明によるプリンタ装置の第１の実施の形態を示す図であって、このうち図１は開閉扉が開いたプリンタ装置の全体を示す図、図２はプリンタ装置の開閉扉と排出ボックスを示す図、図３は開閉扉が閉じたプリンタ装置の全体を示す図、図４はプリンタ装置の排出ボックスを示す側面図、図５はプリンタ装置の排出ボックス内を示す拡大図、図６は比較例としてのプリンタ装置を示す図である。
【００１５】
図１乃至図５に示すように、プリンタ装置１０は開口された開口面１１ａを有する主ボックス１１と、主ボックス１１に第１ヒンジ部１６を介して回動自在に設けられ開口面１１ａを開閉自在に覆う開閉扉１５と、主ボックス１１内に上下方向に配置された上方プリンタ（上方側のプリンタ）１２および下方プリンタ（下方側のプリンタ）１３とを備えている。また主ボックス１１のうち下方プリンタ１３の下方部分には、予備のプリンタを載置するための空きスペース１４が設けられている。
【００１６】
また主ボックス１１上には、上方プリンタ１２および下方プリンタ１３を駆動制御するＰＣ３０が設置されており、さらに上方プリンタ１２および下方プリンタ１３は各々、開口面１１ａ側を向く排出口１２ａ，１３ａを有している。また上方プリンタ１２および下方プリンタ１３は、各々排出口１２ａ，１３ａの内側近傍に設けられたカッタ１２ｂ，１３ｂを有している。
【００１７】
すなわち上方プリンタ１２および下方プリンタ１３は写真を印字してまず帯状印刷物１Ａを作製し、次にこの帯状印刷物１Ａをカッタ１２ｂ，１３ｂにより切断して上方へ突出する、すなわち後述する案内板２２ａ，２３ａから離れる方向へ突出するカール状の写真印刷物（単に印刷物ともいう）１を作製するものであり、上方プリンタ１２および下方プリンタ１３により作製されたカール状の写真印刷物１は、各々の排出口１２ａ，１３ａから排出される。
【００１８】
本明細書において、「上方」および「下方」とは図１のようにプリンタ装置を床面Ｆ上に設置した場合における「上方」および「下方」のことをいう。
【００１９】
また開閉扉１５の裏面に、上方プリンタ１２の排出口１２ａおよび下方プリンタ１３の排出口１３ａに各々連通する排出路２８を形成する排出ボックス２０が設けられている。また排出ボックス２０は開閉扉１５の裏面に、第２ヒンジ部１７を介して回動自在に設けられている。さらに開閉扉１５はアクリル製の窓１５ａを有し、この窓１５ａを通して外方から開口２０ａを介して排出ボックス２０内部を観察できる。また開閉扉１５を開き、かつ排出ボックス２０を開閉扉１５に対して回動させて開いた場合、排出ボックス２０内に開閉扉１５側の開口２０ａから作業者が手を挿入することができる。
【００２０】
次に図４および図５により、排出ボックス２０内の構造を詳述する。
【００２１】
図４および図５において、上方プリンタ１２および下方プリンタ１３は主ボックス１１内に内蔵されているが、図４および図５において便宜上主ボックス１１は除かれている。
【００２２】
図４および図５に示すように、上方プリンタ１２の排出口１２ａと、下方プリンタ１３の排出口１３ａは、排出ボックス２０の排出路２８に連通している。
【００２３】
また排出ボックス２０の排出路２８内下方には、上方プリンタ１２および下方プリンタ１３の各々の排出口１２ａ，１３ａから排出される写真印刷物１を集積するスタッカ２１が設けられている。
【００２４】
さらに排出ボックス２０の排出路２８は、上方プリンタ１２の排出口１２ａからスタッカ２１までの上方プリンタ用排出路２８ａと、下方プリンタ１３の排出口１３ａからスタッカ２１までの下方プリンタ用排出路２８ｂとを有している。この場合、上方プリンタ用排出路２８ａは、排出ボックス２０内に設けられた案内板２２ａにより形成されている。また下方プリンタ用排出路２８ｂは、排出ボックス２０内に設けられた案内板２３ａにより形成されている。
【００２５】
すなわち、図４に示すように、上方プリンタ１２の排出口１２ａから排出される写真印刷物１はその印刷面を上方に向けて排出され、案内板２２ａを経て、反転板２４に到る。そして写真印刷物１はこの反転板２４により反転され、写真印刷物１は印刷面を下方に向けてスタッカ２１上に集積される。
【００２６】
また図４に示すように、下方プリンタ１３の排出口１３ａから排出される写真印刷物１は、その印刷面を上方に向けて排出され、案内板２３ａにより反転される。写真印刷物１はこのようにして印刷面を下方に向けてスタッカ２１上に集積される。
【００２７】
ところで、排出ボックス２０、案内板２２ａ，２３ａ、および反転板２４は、いずれもステンレス鋼等の錆びにくい金属からなっている。とりわけ案内板２２ａ，２３ａ、反転板２４は、写真印刷物の傷付き防止の観点および写真印刷物の引掛かり防止の観点からステンレス鋼板と、このステンレス鋼板上に貼付されたフッ素系シートとからなっている。
【００２８】
このように排出ボックス２０内を上方プリンタ用排出路２８ａと、下方プリンタ用排出路２８ｂとに区画して設けることにより、上方プリンタ１２からの写真印刷物１と下方プリンタ１３からの写真印刷物１とが混じり合って写真印刷物１にジャムが生じることを未然に防止することができる。
【００２９】
また、排出ボックス２０の排出路２８内下方には単一のスタッカ２１が設けられているが、このように単一のスタッカ２１を設けることにより、上方プリンタ１２用のスタッカと下方プリンタ１３用のスタッカを複数設ける場合に比較して、作業者は単一のスタッカ２１から写真印刷物１を取出せば良いので、写真印刷物１の取出し忘れを確実に防止することができる。
【００３０】
また本実施の形態において、図５に示すように、排出ボックス２０の上方プリンタ用排出路２８ａ内に設置された案内板２２ａ上に、更に追加で傾斜板４０が設けられている。この傾斜板４０は上方プリンタ１２の排出口１２ａ近傍に位置する始端４１と、終端４２と、始端４１と終端４２との間に延びる傾斜面４３とを有し、傾斜板４０の傾斜面４３は斜め下方へ傾斜している。
【００３１】
さらにまた、傾斜板４０の終端４２下流側には、空間４５を形成する段部４６が設けられている。
【００３２】
ここで図５は、傾斜板４０の側断面図であり、図５において傾斜板４０の傾斜面４３の断面形状は略直線状断面をもつ。
【００３３】
また図５に示すように、上方プリンタ１２のカッタ１２ｂにより帯状写真印刷物１Ａを切断して上方へ突出するカール状の写真印刷物１を作製する場合、切断された写真印刷物１の先端１ａは、いずれも傾斜板４０の終端４２を過ぎ、かつ空間４５内に位置して自由状態となっている。
【００３４】
図５に示すように、切断された写真印刷物１は、上方へ突出するカール状の形状をもつ。また写真印刷物１をその両端において平面上に載置した場合、写真印刷物１は上方への突出高さをもつ。
【００３５】
図５において、上方への突出高さが３６ｍｍ、４０ｍｍ、４５ｍｍ、５３ｍｍ、６０ｍｍとなる５種類の写真印刷物１が示されている。
【００３６】
本実施の形態において、カッタ１２ｂにより帯状写真印刷物１Ａを切断して上方へ突出するカール状の写真印刷物１を作製する場合、写真印刷物１の先端１ａは傾斜板４０の終端４２を過ぎ、かつ空間４５内に位置して自由状態となっている。カッタ１２ｂによる切断前において、帯状写真印刷物１Ａは傾斜板４０の傾斜面４３と排出口１２ａとにより規制されるため、帯状写真印刷物１Ａに対してカール状態を直線状態にするよう力が加わる。次にカッタ１２ｂにより帯状写真印刷物１Ａが切断され、切断された写真印刷物１が作製される瞬間、写真印刷物１は元のカール状に戻ろうとする。この時、写真印刷物１の先端１ａが自由状態となっているため、写真印刷物１は終端４２を中心として、カッタ１２ｂおよび排出口１２ａから離れる方向へ回動し、そのまま案内板２２ａに沿って上方プリンタ用排出路２８ａ内へ落下する。
【００３７】
このため、カッタ１２ｂにより帯状写真印刷物１Ａを切断して作製された写真印刷物１が案内板２２ａのいずれかの部位に止まったり引掛かることはない。
【００３８】
この場合、上述した突出高さが３６ｍｍ、４０ｍｍ、４５ｍｍ、５３ｍｍ、６０ｍｍとなる５種類のすべての写真印刷物１が、案内板２２ａのいずれかの部位に止まったり引掛かることなく、案内板２２ａに沿って上方プリンタ用排出路２８ａ内へ落下することが確認されている。
【００３９】
次にこのような構成からなる本実施の形態の作用について説明する。
【００４０】
プリンタ装置１０によって写真印刷物１を作製する場合、所望の条件の下で上方プリンタ１２または下方プリンタ１３が用いられる。
【００４１】
上方プリンタ１２により印刷された帯状の写真印刷物１Ａはカッタ１２ｂにより切断されて切断された写真印刷物１が作製される。このように作製された写真印刷物１は、印刷面を上方に向けた状態で排出口１２ａより排出される。
【００４２】
この間、カッタ１２ｂにより帯状写真印刷物１Ａが切断され、切断された写真印刷物１が作製される瞬間、上述のように切断前において直線状の形状をもつよう力が加えられていた状態からこの力が解かれるため、写真印刷物１は元のカール状に戻ろうとする。このことにより、写真印刷物１は終端４２を中心としてカッタ１２ｂおよび排出口１２ａから離れる方向へ回動し、そのまま案内板２２ａに沿って上方プリンタ用排出路２８ａ内へ落下する。
【００４３】
次に写真印刷物１は反転板２４によって反転されて印刷面２を下方に向けてスタッカ２１上に集積される。
【００４４】
次に図６により比較例としてのプリンタ装置を示す。図６に示すプリンタ装置において、案内板２２ａ上に傾斜板４０は設けられていない。
【００４５】
その他の構成は図１乃至図５に示す第１の実施の形態と略同一である。
【００４６】
図６において、プリンタ装置は案内板２２ａ上に設けられた傾斜板４０を有していないため、上方プリンタ１２のカッタ１２ｂにより帯状写真印刷物１Ａが切断されて、写真印刷物１が作製される瞬間、写真印刷物１の先端１ａはすでに案内板２２ａ上に載っている。従って切断された写真印刷物１の先端１ａは、切断時に自由状態となっておらず、この先端１ａが案内板２２ａ上に引掛ることも考えられる。
【００４７】
これに対して本実施の形態によれば、帯状写真印刷物１Ａが切断されて写真印刷物１が作製される際、写真印刷物１の先端１ａが自由状態となっているため、写真印刷物１は終端４２を中心としてカッタ１２ｂおよび排出口１２ａから離れる方向へ回動し、案内板２２ａに沿って引掛かることなく、上方プリンタ用排出路２８ａ内へ確実に落下させることができる。
【００４８】
＜第２の実施の形態＞
次に図７により本発明の第２の実施の形態について説明する。
【００４９】
図７に示すように、排出ボックス２０の上方プリンタ用排出路２８ａ内に案内板２２ａが設置され、この案内板２２ａ上に、更に追加で傾斜板４０が設けられている。この傾斜板４０は上方プリンタ１２の排出口１２ａ近傍に位置する始端４１と、終端４２と、始端４１と終端４２との間に延びる傾斜面４３とを有し、傾斜板４０の傾斜面４３は斜め下方へ傾斜している。
【００５０】
さらにまた、傾斜板４０の終端４２下流側には、空間４５を形成する段部４６が設けられている。
【００５１】
ここで図７は、傾斜板４０の側断面図であり、図７において傾斜板４０の傾斜面４３の断面形状は略湾曲状断面をもつ。
【００５２】
また図７に示すように、上方プリンタ１２のカッタ１２ｂにより帯状写真印刷物１Ａを切断して上方へ突出するカール状の写真印刷物１を作製する場合、切断された写真印刷物１の先端１ａは、いずれも傾斜板４０の終端４２を過ぎ、かつ空間４５内に位置して自由状態となっている。
【００５３】
本実施の形態において、カッタ１２ｂにより帯状写真印刷物１Ａを切断して上方へ突出するカール状の写真印刷物１を作製する場合、写真印刷物１の先端１ａは傾斜板４０の終端４２を過ぎ、かつ空間４５内に位置して自由状態となっている。カッタ１２ｂによる切断前において、帯状写真印刷物１Ａは傾斜板４０の傾斜面４３と排出口１２ａとにより規制されるため、帯状写真印刷物１Ａに対してカール状態を直線状態にするよう力が加わる。次にカッタ１２ｂにより帯状写真印刷物１Ａが切断され、切断された写真印刷物１が作製される瞬間、写真印刷物１は元のカール状に戻ろうとする。この時、写真印刷物１の先端１ａが自由状態となっているため、写真印刷物１は終端４２を中心として、カッタ１２ｂおよび排出口１２ａから離れる方向へ回動し、そのまま案内板２２ａに沿って上方プリンタ用排出路２８ａ内へ落下する。
【００５４】
このため、カッタ１２ｂにより帯状写真印刷物１Ａを切断して作製された写真印刷物１が案内板２２ａのいずれかの部位に止まったり引掛かることはない。
【００５５】
＜第３の実施の形態＞
次に図８により本発明の第３の実施の形態について説明する。
【００５６】
図８に示すように、排出ボックス２０の上方プリンタ用排出路２８ａに案内板２２ａが設置され、この案内板２２ａ上に更に追加で傾斜板４０が設けられている。
【００５７】
このうち傾斜板４０は上方プリンタ１２の排出口１２ａ近傍に位置する第１始端４１ａと、第１終端４２ａと、第１始端４１ａと第１終端４２ａとの間に延びる第１傾斜面４３ａとを含む第１傾斜板４０ａと、上方プリンタ１２の排出口１２ａ近傍に位置する第２始端４１ｂと、第２終端４２ｂと、第２始端４１ｂと第２終端４２ｂとの間に延びる第２傾斜面４３ｂとを含む第１傾斜板４０ｂとを備える。さらにまた第１傾斜板４０ａの第１終端４２ａ下流側に第１空間４５ａを形成する第１段部４６ａが設けられ、第２傾斜板４０ｂの第２終端４２ｂ下流側には第２空間４５ｂを形成する第２段部４６ｂが設けられている。
【００５８】
ここで図８は、傾斜板４０の側断面図であり、図８において第１傾斜板４０ａの第１傾斜面４３ａの断面形状は略直線状断面をもち、第２傾斜板４０ｂの第２傾斜面４３ｂの断面形状も略直線状断面をもつ。
【００５９】
また図８に示すように、上方プリンタ１２のカッタ１２ｂにより帯状写真印刷物１Ａを切断して上方へ突出するカール状の小さなＬサイズの写真印刷物１を作製する場合、切断されたＬサイズの写真印刷物１の先端１ａは、第１傾斜板４０ａの第１終端４２ａを過ぎ、かつ第１空間４５ａ内に位置して自由状態となっている。
【００６０】
本実施の形態において、カッタ１２ｂにより帯状写真印刷物１Ａを切断して上方へ突出するカール状のＬサイズの写真印刷物１を作製する場合、写真印刷物１の先端１ａは第１傾斜板４０ａの第１終端４２ａを過ぎ、かつ第１空間４５ａ内に位置して自由状態となっている。カッタ１２ｂによる切断前において、帯状写真印刷物１Ａは傾斜板４０の傾斜面４３と排出口１２ａとにより規制されるため、帯状写真印刷物１Ａに対してカール状態を直線状態にするよう力が加わる。次にカッタ１２ｂにより帯状写真印刷物１Ａが切断され、切断された写真印刷物１が作製される瞬間、写真印刷物１は元のカール状に戻ろうとする。この時、写真印刷物１の先端１ａが自由状態となっているため、写真印刷物１は第１終端４２ａを中心として、カッタ１２ｂおよび排出口１２ａから離れる方向へ回動し、そのまま案内板２２ａに沿って上方プリンタ用排出路２８ａ内へ落下する。
【００６１】
このため、カッタ１２ｂにより帯状写真印刷物１Ａを切断して作製された写真印刷物１が案内板２２ａのいずれかの部位に止まったり引掛かることはない。
【００６２】
他方、図８において、上方プリンタ１２のカッタ１２ｂにより帯状写真印刷物１Ａを切断して上方へ突出するカール状の大きな２Ｌサイズの写真印刷物１を作製する場合、切断された２Ｌサイズの写真印刷物１の先端１ａは、第２傾斜板４０ｂの第２終端４２ｂを過ぎ、かつ第２空間４５ｂ内に位置して自由状態となっている。
【００６３】
本実施の形態において、カッタ１２ｂにより帯状写真印刷物１Ａを切断して上方へ突出するカール状の２Ｌサイズの写真印刷物１を作製する場合、写真印刷物１の先端１ａは第２傾斜板４０ｂの第２終端４２ｂを過ぎ、かつ第２空間４５ｂ内に位置して自由状態となっている。カッタ１２ｂによる切断前において、帯状写真印刷物１Ａは第２傾斜板４０ｂの第２傾斜面４３ｂと排出口１２ａとにより規制されるため、帯状写真印刷物１Ａに対してカール状態を直線状態にするよう力が加わる。次にカッタ１２ｂにより帯状写真印刷物１Ａが切断され、切断された写真印刷物１が作製される瞬間、写真印刷物１は元のカール状に戻ろうとする。この時、写真印刷物１の先端１ａが自由状態となっているため、写真印刷物１は第２終端４２ｂを中心として、カッタ１２ｂおよび排出口１２ａから離れる方向へ回動し、そのまま案内板２２ａに沿って上方プリンタ用排出路２８ａ内へ落下する。
【００６４】
このため、カッタ１２ｂにより帯状写真印刷物１Ａを切断して作製された写真印刷物１が案内板２２ａのいずれかの部位に止まったり引掛かることはない。
【００６５】
次に図９により、図８に示す実施の形態の変形例について説明する。図９に示す変形例において、排出ボックス２０の上方プリンタ用排出路２８ａに案内板２２ａが設置され、この案内板２２ａ上に更に追加で傾斜板４０が設けられている。また傾斜板４０は第１始端４１ａと、第１終端４２ａと、第１始端４１ａと第１終端４２ａとの間に延びる第１傾斜面４３ａとを含む第１傾斜板４０ａと、第２始端４１ｂと、第２終端４２ｂと、第２始端４１ｂと第２終端４２ｂとの間に延びる第２傾斜面４３ｂとを有する第２傾斜板４０ｂとを備えている。さらにまた第１傾斜板４０ａの第１終端４２ａ下流側には第１空間４５ａを形成する第１段部４６ａが設けられ、第２傾斜板４０ｂの第２終端４２ｂ下流側には第２空間４５ｂを形成する第２段部４６ｂが設けられている。
【００６６】
図９において、第１傾斜板４０ａの第１傾斜面４３ａは湾曲状断面をもち、第２傾斜板４０ｂの第２傾斜面４３ｂは、直線状断面をもつ。図９において他の構成は、図８に示す実施の形態と略同一である。
【００６７】
＜第４の実施の形態＞
次に図１０により本発明の第４の実施の形態について説明する。
【００６８】
また本実施の形態において、図１０に示すように、排出ボックス２０の下方プリンタ用排出路２８ｂ内に案内板２３ａが設置され、この案内板２３ａ上に、更に追加で傾斜板５０が設けられている。この傾斜板５０は下方プリンタ１３の排出口１３ａ近傍に位置する始端５１と、終端５２と、始端５１と終端５２との間に延びる傾斜面５３とを有し、傾斜板５０の傾斜面５３は斜め下方へ傾斜している。
【００６９】
さらにまた、傾斜板５０の終端５２下流側には、空間５５を形成する段部５６が設けられている。
【００７０】
ここで図１０は、傾斜板５０の側断面図であり、図１０において傾斜板５０の傾斜面５３は断面直線状の上段傾斜面５３ａと、断面直線状の下段傾斜面５３ｂとを有し、上段傾斜面５３ａと下段傾斜面５３ｂとの間に上方へ突出する突部５７が形成されている。
【００７１】
また図１０に示すように、下方プリンタ１３のカッタ１３ｂにより帯状写真印刷物１Ａを切断して上方へ突出する大きな２Ｌサイズのカール状の写真印刷物１を作製する場合、切断された２Ｌサイズの写真印刷物１の先端１ａは、いずれも傾斜板５０の終端５２を過ぎ、かつ空間５５内に位置して自由状態となっている。
【００７２】
図１０に示すように、切断された写真印刷物１は、上方へ突出するカール状の形状をもつ。また写真印刷物１をその両端において平面上に載置した場合、写真印刷物１は上方への突出高さをもつ。
【００７３】
図１０において、上方への突出高さが３６ｍｍ、４０ｍｍ、４５ｍｍ、５３ｍｍ、６０ｍｍとなる５種類の写真印刷物１が示されている。
【００７４】
本実施の形態において、カッタ１３ｂにより帯状写真印刷物１Ａを切断して上方へ突出するカール状の写真印刷物１を作製する場合、写真印刷物１の先端１ａは傾斜板５０の終端５２を過ぎ、かつ空間５５内に位置して自由状態となっている。カッタ１３ｂによる切断前において、帯状写真印刷物１Ａは傾斜板５０の傾斜面５３の下段傾斜面５３ｂと排出口１３ａとにより規制されるため、帯状写真印刷物１Ａに対してカール状態を直線状態にするよう力が加わる。次にカッタ１３ｂにより帯状写真印刷物１Ａが切断され、切断された写真印刷物１が作製される瞬間、写真印刷物１は元のカール状に戻ろうとする。この時、写真印刷物１の先端１ａが自由状態となっているため、写真印刷物１は終端５２を中心として、カッタ１３ｂおよび排出口１３ａから離れる方向へ回動し、そのまま案内板２３ａに沿って下方プリンタ用排出路２８ｂ内へ落下する。
【００７５】
このため、カッタ１３ｂにより帯状写真印刷物１Ａを切断して作製された写真印刷物１が案内板２３ａのいずれかの部位に止まったり引掛かることはない。
【００７６】
この場合、上述した突出高さが３６ｍｍ、４０ｍｍ、４５ｍｍ、５３ｍｍ、６０ｍｍとなる５種類のすべての写真印刷物１が、案内板２３ａのいずれかの部位に止まったり引掛かることなく、案内板２３ａに沿って下方プリンタ用排出路２８ｂ内へ落下することが確認されている。
【００７７】
ところで、図１０に示すように、下方プリンタ用排出路２８ｂに設けられた案内板２３ａは下方へ向かって傾斜する上段案内板５９ａと、略垂直方向に延びる下段案内板５９ｂとを有し、全体として下方プリンタ１３側へ寄って配置している。
【００７８】
２Ｌサイズの写真印刷物１は、切断時において上述のようにその先端１ａが傾斜板５０の終端５２を通過するため、写真印刷物１を終端５２を中心として回動させて下方プリンタ用排出路２８ｂ内に落下させることができる。
【００７９】
一方、Ｌサイズの写真印刷物１については、案内板２３ａ自体が下方プリンタ１３側へ寄っているため、傾斜板５０の傾斜面５３をより垂直方向に向かせることができる。このため、Ｌサイズの写真印刷物１の先端１ａは傾斜面５３に対してかなり小さな鋭角で接触する。このように、帯状写真印刷物１Ａを切断する際、帯状写真印刷物１Ａは傾斜面５３に対して小さな鋭角で接触するため、切断された写真印刷物１の先端１ａが傾斜面５３に引掛ることはなく、このことにより、傾斜板５０に対して更にＬサイズの写真印刷物１に適した追加傾斜板を設ける必要はない。
【符号の説明】
【００８０】
１  写真印刷物
１Ａ  帯状写真印刷物
１ａ  先端
１０  プリンタ装置
１１  主ボックス
１２  上方プリンタ
１３  下方プリンタ
１５  開閉扉
２０  排出ボックス
２１  スタッカ
２２ａ  案内板
２３ａ  案内板
２４  反転板
４０  傾斜板
４０ａ  第１傾斜板
４０ｂ  第２傾斜板
４１  始端
４１ａ  第１始端
４１ｂ  第２始端
４２  終端
４２ａ  第１終端
４２ｂ  第２終端
４３  傾斜面
４３ａ  第１傾斜面
４３ｂ  第２傾斜面
４５  空間
４５ａ  第１空間
４５ｂ  第２空間
４６  段部
４６ａ  第１段部
４６ｂ  第２段部
５０  傾斜板
５１  始端
５２  終端
５３  傾斜面
５３ａ  上段傾斜面
５３ｂ  下段傾斜面
【図１】
2019008119.tif 000003
【図２】
2019008119.tif 000004
【図３】
2019008119.tif 000005
【図４】
2019008119.tif 000006
【図５】
2019008119.tif 000007
【図６】
2019008119.tif 000008
【図７】
2019008119.tif 000009
【図８】
2019008119.tif 000010
【図９】
2019008119.tif 000011
【図１０】
2019008119.tif 000012